(57)【要約】【課題】浴槽内の湯温に応じて異常を検知することができる風呂システムを提供する。【解決手段】風呂設定温度での湯はり運転を実行すると、浴室リモコン１２のマイコン３５は、風呂設定温度が４５°Cを超えているか否かを判定する。風呂設定温度が４５°Cを超えている場合、外部ネットワークＮＷを介して監視者の通信機器２２に異常信号を送信する。通信機器２２では、受信した異常信号に応じて、風呂設定温度が異常であることを示すコメントを表示部２２aに表示するので、監視者は、風呂設定温度が異常であることを知ることができる。【選択図】図３
2019015416.tif 000002
【特許請求の範囲】
【請求項１】
外部通信機器と通信可能な通信部を有し、浴槽内に入浴者が設定した設定温度の湯を湯はりする風呂運転と、前記浴槽内の湯水を入浴者が設定した設定温度に沸き上げる風呂運転とのうちの少なくとも一方の風呂運転を実行可能な風呂システムであって、
前記風呂運転における前記設定温度と、前記浴槽への入浴者の入槽の開始当初における前記浴槽内の湯温度の検出値と、前記風呂運転の終了後における前記浴槽への入浴者の入槽の推定タイミングでの前記浴槽内の湯温度の予測値とのうちのいずれかの温度である浴槽温度を取得し、前記浴槽温度が所定の範囲を逸脱しているか否かを判定する浴槽温度判定手段と、
前記浴槽温度判定手段により前記浴槽温度が前記所定の範囲を逸脱していると判定された場合に、その旨を示す浴槽温度異常信号を前記通信部から前記外部通信機器に送信させる制御手段と、
を備えることを特徴とする風呂システム。
【請求項２】
請求項１に記載の風呂システムにおいて、
前記通信部には、前記外部通信機器と通話可能な通話手段が設けられ、
前記浴槽温度判定手段により前記浴槽温度が前記所定の範囲を逸脱していると判定された場合に、前記通話手段により前記外部通信機器と通話可能な状態になることを特徴とする風呂システム。
【請求項３】
請求項１又は２に記載の風呂システムにおいて、
前記浴槽の湯温を検出する湯温検出手段と、
入浴状態であるか否かを判定する入浴判定手段と、
を備え、
前記制御手段は、前記入浴判定手段により前記入浴状態であると判定された場合に、その旨を示す入浴信号を前記通信部から前記外部通信機器に送信させ、
前記浴槽温度判定手段は、前記入浴判定手段により前記入浴状態であると判定された場合に前記湯温検出手段により検出された検出湯温を、前記浴槽への入浴者の入槽の開始当初における前記浴槽内の湯温度の検出値として取得することを特徴とする風呂システム。
【請求項４】
請求項１又は２に記載の風呂システムにおいて、
前記浴槽の湯温を検出する湯温検出手段と、
入浴状態であるか否かを判定する入浴判定手段と、
前記設定温度から、前記入浴判定手段により前記入浴状態であると判定されたときに前記湯温検出手段により検出された検出湯温を減算した減算値を算出する減算値算出手段と、
前記減算値算出手段により算出された前記減算値の所定日数分の平均値を算出する平均減算値算出手段と、
を備え、
前記浴槽温度判定手段は、前記設定温度から、前記平均減算値算出手段により算出された平均減算値を減算して算出した値を、前記風呂運転の終了後における前記浴槽への入浴者の入槽の推定タイミングでの前記浴槽内の湯温度の予測値である前記浴槽温度として取得することを特徴とする風呂システム。
【発明の詳細な説明】
【技術分野】
【０００１】
本発明は、外部通信機器と通信可能な通信部を有する風呂システムに関する。
【背景技術】
【０００２】
近年、浴室等の使用状況を監視する技術が提案されている。特許文献１に記載の生活見守りシステムでは、浴室の使用の有無及びその時間情報を含む生活状態を検出し、その情報をメールで送信することで、受信先で生活情報を確認することができる。
【０００３】
特許文献２に記載の風呂装置では、入浴者の活動情報を検出する見守り手段と、浴槽内の水位を検出する水位センサとを備え、水位センサの検出結果に基づいて、入槽を判定した場合には見守り手段が動作することを報知し、出槽を判定した場合には、見守り手段の動作を停止することを報知している。特許文献２では、入槽状態において入浴者が体動していない場合に、それを報知することで、異常状態を把握することができる。
【０００４】
特許文献３に記載の浴室異常検知装置では、赤外線センサを用いて入浴者の状態を監視し、入浴者が倒れる等の異常状態である場合に、それを報知している。
【先行技術文献】
【特許文献】
【０００５】
【特許文献１】特開２００２−２５１６８６号公報
【特許文献２】特開２００３−２６２３９０号公報
【特許文献３】特開２０１６−１７０７０１号公報
【発明の概要】
【発明が解決しようとする課題】
【０００６】
認知症等の入浴者は、異常に高い湯温にしてしまうことがある。しかしながら、特許文献１では、浴室の使用の有無及びその時間を把握することで、いつもと違う時間に浴室が使用された場合には、異常状態であると検知することができるが、いつも同じ時間に浴室が使用された場合には、湯温が高温である異常状態であっても、異常状態であると検知することができない。
【０００７】
また、特許文献２及び３では、入槽状態において入浴者が体動していない異常状態、入浴者が倒れる異常状態を検知することができるが、湯温が高温である場合についての異常状態は検知することができない。
【０００８】
本発明はかかる背景に鑑みてなされたものであり、浴槽内の湯温に応じて異常を検知することができる風呂システムを提供することを目的とする。
【課題を解決するための手段】
【０００９】
本発明の風呂システムは、外部通信機器と通信可能な通信部を有し、浴槽内に入浴者が設定した設定温度の湯を湯はりする風呂運転と、前記浴槽内の湯水を入浴者が設定した設定温度に沸き上げる風呂運転とのうちの少なくとも一方の風呂運転を実行可能な風呂システムであって、前記風呂運転における前記設定温度と、前記浴槽への入浴者の入槽の開始当初における前記浴槽内の湯温度の検出値と、前記風呂運転の終了後における前記浴槽への入浴者の入槽の推定タイミングでの前記浴槽内の湯温度の予測値とのうちのいずれかの温度である浴槽温度を取得し、前記浴槽温度が所定の範囲を逸脱しているか否かを判定する浴槽温度判定手段と、前記浴槽温度判定手段により前記浴槽温度が前記所定の範囲を逸脱していると判定された場合に、その旨を示す浴槽温度異常信号を前記通信部から前記外部通信機器に送信させる制御手段と、を備えることを特徴とする。
【００１０】
本発明によれば、浴槽温度が所定の範囲を逸脱している場合に、その旨を示す浴槽温度異常信号を、風呂システムの通信部から外部通信機器に送信させるので、外部通信機器の所有者は、浴槽温度異常信号を外部通信機器で受信した場合には、浴槽温度が所定の範囲を逸脱していることを知ることができる。
【００１１】
また、前記通信部には、前記外部通信機器と通話可能な通話手段が設けられ、前記浴槽温度判定手段により前記浴槽温度が前記所定の範囲を逸脱していると判定された場合に、前記通話手段により前記外部通信機器と通話可能な状態になることが好ましい。
【００１２】
この構成によれば、浴槽温度が所定の範囲を逸脱している場合に、外部通信機器の所有者は、入浴者と通話することができる。これにより、外部通信機器の所有者は、入浴者と通話して、現在の状況を把握することができる。
【００１３】
さらに、前記浴槽の湯温を検出する湯温検出手段と、入浴状態であるか否かを判定する入浴判定手段と、を備え、前記制御手段は、前記入浴判定手段により前記入浴状態であると判定された場合に、その旨を示す入浴信号を前記通信部から前記外部通信機器に送信させ、前記浴槽温度判定手段は、前記入浴判定手段により前記入浴状態であると判定された場合に前記湯温検出手段により検出された検出湯温を、前記浴槽への入浴者の入槽の開始当初における前記浴槽内の湯温度の検出値として取得することが好ましい。
【００１４】
この構成によれば、外部通信機器の所有者は、入浴者が入浴中であることを知ることができる。さらに、入浴状態であると判定された場合の検出湯温が所定の範囲を逸脱しているか否かを判定するので、実際に入浴したときの湯温が異常であるか否かを判定することができる。
【００１５】
また、前記浴槽の湯温を検出する湯温検出手段と、入浴状態であるか否かを判定する入浴判定手段と、前記設定温度から、前記入浴判定手段により前記入浴状態であると判定されたときに前記湯温検出手段により検出された検出湯温を減算した減算値を算出する減算値算出手段と、前記減算値算出手段により算出された前記減算値の所定日数分の平均値を算出する平均減算値算出手段と、を備え、前記浴槽温度判定手段は、前記設定温度から、前記平均減算値算出手段により算出された平均減算値を減算して算出した値を、前記風呂運転の終了後における前記浴槽への入浴者の入槽の推定タイミングでの前記浴槽内の湯温度の予測値である前記浴槽温度として取得することが好ましい。
【００１６】
この構成によれば、入浴者が入浴する際の湯温を予測し、この予測温度が所定の範囲を逸脱している場合に、その旨を示す浴槽温度異常信号を、風呂システムの通信部から外部通信機器に送信させるので、外部通信機の所有者は、浴槽温度異常信号を外部通信機器で受信した場合には、予測温度が所定の範囲を逸脱していることを知ることができる。
【００１７】
人によっては、実際に入浴する時間の例えば２時間前に風呂運転を実行させるのが通常動作の場合もある。この場合、設定温度での湯はり運転が開始されてから実際に入浴するまでに、例えば、２°Ｃ程度は湯温が下がる。上記構成によれば、予測湯温が所定の範囲を逸脱しているか否かを判定するので、設定温度が所定の範囲を逸脱していても、予測温度が所定の範囲を逸脱していない場合には、異常ではないと判定することができる。これにより、実際に入浴する際の湯温が異常でない場合に異常と判定する誤判定を抑制することができる。
【図面の簡単な説明】
【００１８】
【図１】本発明の一実施形態の風呂システムの全体構成を概略的に示す図。
【図２】浴室リモコンの構成を示すブロック図。
【図３】風呂システムの制御処理を示すフローチャート。
【図４】第２実施形態の風呂システムの制御処理を示すフローチャート
【図５】第３実施形態の風呂システムの制御処理を示すフローチャート
【発明を実施するための形態】
【００１９】
［第１実施形態］
図１に示すように、本発明の第１実施形態の風呂システム２は、浴室ＢＲの浴槽ＢＴの湯はり、追焚き等を行う風呂運転と、浴室ＢＲ及び台所等の給湯箇所への給湯を行う給湯運転とを実行可能な風呂給湯装置３を備える。
【００２０】
風呂給湯装置３は、熱源機１１と、浴室ＢＲに設置され、風呂給湯装置３の運転操作を入浴者が行うための浴室リモコン１２（通信部）と、浴室ＢＲ以外の箇所、例えば台所に設置され、風呂給湯装置３の運転操作を入浴者が行うための台所リモコン１３（通信部）とを備える。
【００２１】
浴室リモコン１２又は台所リモコン１３を操作することによって、風呂給湯装置３の各運転の実行指示、入浴者が希望する給湯温度あるいは浴槽ＢＴ内の湯温（風呂温度）の設定等を行うことが可能である。以下では、風呂温度の設定値を風呂設定温度と称する。
【００２２】
なお、風呂給湯装置３は、浴室リモコン１２及び台所リモコン１３以外の他の給湯・風呂運転用リモコンをさらに備えていてもよい。
【００２３】
熱源機１１は、例えば、公知の構成の燃焼式の熱源機であり、図示を省略するバーナ（燃焼式加熱源）及び熱交換器等が搭載されている。なお、燃料は、燃料ガス、あるいは、灯油等の液体燃料のいずれであってもよい。
【００２４】
さらに、熱源機１１には、該熱源機１１内に水道水等の給湯用水を導入する給水管１５と、熱源機１１内で加熱した給湯用水（湯）を台所、浴室等の給湯箇所に供給する給湯管１６とが接続されていると共に、浴槽ＢＴとの間で温水を流通させる浴槽配管１７，１７が接続されている。
【００２５】
そして、熱源機１１は、給湯運転時に、給水管１５から供給される給湯用水をバーナの燃焼熱により熱交換器を介して加熱しつつ、加熱した給湯用水（湯）を、台所や浴室ＢＲ等の給湯箇所に給湯管１６を介して供給するという運転動作、浴槽ＢＴの湯はり運転時に、給水管１５から供給される給湯用水をバーナの燃焼熱により熱交換器を介して加熱しつつ、加熱した給湯用水（湯）を、浴槽ＢＴに浴槽配管１７，１７の一方もしくは両方を介して供給するという運転動作、浴槽ＢＴの追焚き運転時に、浴槽ＢＴとの間で浴槽配管１７，１７を介して温水を循環させつつ、該温水をバーナの燃焼熱により熱交換器を介して加熱するという運転動作等を実行可能である。
【００２６】
浴槽配管１７には、浴槽ＢＴ内の水位を検出する水位センサ１８と、浴槽ＢＴ内の湯温を検出する温度センサ１９（湯温検出手段）とが設けられている。なお、水位センサ１８及び温度センサ１９を、熱源機１１に設けるようにしてもよい。
【００２７】
熱源機１１には、該熱源機１１の作動制御を行う制御装置２０が搭載されている。制御装置２０は、ＣＰＵ、ＲＡＭ、ＲＯＭ、インターフェース回路等を含む電子回路ユニットにより構成される。
【００２８】
制御装置２０には、水位センサ１８及び温度センサ１９が接続されており、水位センサ１８は、水位情報を制御装置２０に送信し、温度センサ１９は、温度情報を制御装置２０に送信する。
【００２９】
熱源機１１の制御装置２０は、浴室リモコン１２及び台所リモコン１３と通信可能となるように有線接続されている。制御装置２０は、実装されたハードウェア構成及びプログラム（ソフトウェア構成）により実現される機能によって、浴室リモコン１２又は台所リモコン１３から与えられる運転指示情報等に応じて、熱源機１１の作動制御を行う。
【００３０】
制御装置２０は、水位センサ１８からの水位情報や、温度センサ１９からの温度情報を浴室リモコン１２に送信する。
【００３１】
浴室リモコン１２は、台所リモコン１３と通信可能となるように有線接続されている。浴室リモコン１２は、各種情報を台所リモコン１３又は制御装置２０に送信可能である。
【００３２】
なお、熱源機１１の制御装置２０と浴室リモコン１２及び台所リモコン１３との間の通信、及び、浴室リモコン１２と台所リモコン１３との間の通信を、無線により行うようにしてもよい。
【００３３】
台所リモコン１３は、公衆通信網により構成される外部ネットワークＮＷ（インターネット）を介して、風呂システム２の状況を監視する監視者の通信機器２２に接続されている。通信機器２２は、例えばタブレット端末により構成され、表示部２２ａを備える。
【００３４】
図２に示すように、浴室リモコン１２は、リモコン用制御基板３１と、マイク３２と、スピーカ３３と、温度等の各種設定を行うための複数の操作ボタンから構成される操作部３４とを備える。
【００３５】
リモコン用制御基板３１は、浴室リモコン１２を制御するマイコン３５（制御手段）と、マイク３２及びスピーカ３３に接続されるインターホン回路３６とを備える。本実施形態では、通話手段は、マイク３２、スピーカ３３、マイコン３５、及びインターホン回路３６から構成されている。
【００３６】
入浴者（ユーザ）が操作部３４を操作して所定情報（風呂設定温度等）を入力すると、その操作情報はマイコン３５に送信される。マイコン３５は、操作情報を浴室リモコン１２から熱源機１１の制御装置２０及び台所リモコン１３に送信する。制御装置２０は、浴室リモコン１２から受信した操作情報に基づいて熱源機１１を駆動する。
【００３７】
マイコン３５は、操作部３４からの操作情報に基づいて、インターホン回路３６に制御信号を送信する。インターホン回路３６は、受信した制御信号に基づいて、スピーカ３３に音声信号を送信し、スピーカ３３から音声（例えば、風呂設定温度）を出力させる。これにより、入浴者は、風呂設定温度を確認することができる。また、風呂設定温度は、浴室リモコン１２に設けられた表示部（図示せず）に表示される。さらに、台所リモコン１３は、浴室リモコン１２から受信した操作情報に基づいて、風呂設定温度を表示部（図示せず）に表示し、風呂設定温度示す音声をスピーカ（図示せず）から出力する。
【００３８】
浴室リモコン１２と台所リモコン１３とは通話可能であり、マイク３２に入った音声は、音声信号に変換されて、インターホン回路３６、マイコン３５を介して台所リモコン１３に送信され、台所リモコン１３のスピーカ（図示せず）から出力される。台所リモコン１３のマイク（図示せず）に入った音声も音声信号に変換されて、浴室リモコン１２に送信され、マイコン３５、インターホン回路３６を介して、スピーカ３３から出力される。
【００３９】
台所リモコン１３は、外部ネットワークＮＷを介して通信機器２２と通信可能に接続されており、浴室リモコン１２は、台所リモコン１３及び外部ネットワークＮＷを介して、通信機器２２と通話可能である。
【００４０】
マイコン３５は、制御装置２０からの水位情報及び温度情報と、風呂設定温度を監視しており、水位情報、温度情報及び風呂設定温度に基づいて、浴室リモコン１２の駆動を制御する。
【００４１】
次に、図３のフローチャートを参照して、浴槽ＢＴの湯はりを行う場合の作動を説明する。
【００４２】
入浴者が浴室リモコン１２を操作して、風呂設定温度での湯はり運転の実行を指示すると、熱源機１１の制御装置２０に運転指示情報が送信され、制御装置２０は、運転指示情報に応じて、熱源機１１の作動制御を行い、風呂設定温度での湯はり運転を実行させる（ＳＴＥＰ１）。
【００４３】
浴室リモコン１２のマイコン３５は、風呂設定温度が所定温度（例えば、４５°C）を超えているか否かを判定する（ＳＴＥＰ２）。本実施形態では、浴槽温度判定手段は、マイコン３５から構成されている。
【００４４】
風呂設定温度が４５°Cを超えている場合（ＳＴＥＰ２で「ＹＥＳ」）、マイコン３５は、風呂設定温度が異常であることを示す異常信号を浴室リモコン１２から台所リモコン１３に送信させ、台所リモコン１３は、異常信号を受信したことに応じて、外部ネットワークＮＷを介して監視者の通信機器２２に異常信号を送信する（ＳＴＥＰ３）。
【００４５】
一方、風呂設定温度が４５°Cを超えていない場合（ＳＴＥＰ２で「ＮＯ」）、後述するＳＴＥＰ４を行う。
【００４６】
通信機器２２では、受信した異常信号に応じて、風呂設定温度が異常であることを示すコメント（例えば、「風呂設定温度が異常です」）を表示部２２aに表示する。これにより、監視者は、入浴者が設定した風呂設定温度が異常であることを知ることができる。
【００４７】
そして、監視者は、外部ネットワークＮＷ及び台所リモコン１３を介して、浴室リモコン１２と通話可能状態にするための通話要求を行う。
【００４８】
監視者が、通信機器２２を操作して通話要求を行うと、外部ネットワークＮＷ及び台所リモコン１３を介して通信機器２２から浴室リモコン１２に通話要求信号を送信する。
【００４９】
浴室リモコン１２は、通話要求信号を受信する（ＳＴＥＰ４で「ＹＥＳ」）と、台所リモコン１３及び外部ネットワークＮＷを介して、通信機器２２と通話可能状態になる（ＳＴＥＰ５）。
【００５０】
これにより、監視者と、浴室ＢＲにいる入浴者とが通話可能となる。ここで、例えば、監視者は、風呂設定温度が高温（４５°Cを超える）であることを入浴者に伝える。これに対し、入浴者から、間違って高温に設定してしまったと回答があった場合には、入浴者に、風呂設定温度を４５°C以下（例えば、４２°C）に設定し直すように伝える。
【００５１】
そして、監視者は、浴室リモコン１２と通話不能状態にすることを決定し、外部ネットワークＮＷを介して通信機器２２から浴室リモコン１２に通話停止信号を送信する。
【００５２】
浴室リモコン１２は、通話停止信号を受信する（ＳＴＥＰ６で「ＹＥＳ」）と、通信機器２２と通話不能状態になる（ＳＴＥＰ７）。
【００５３】
また、監視者は、通話可能状態で、入浴者から、意図的に風呂設定温度を高温にしているという回答があった場合には、その意図が納得できるものであった場合、その旨を入浴者に伝える。そして、監視者は、浴室リモコン１２と通話不能状態にすることを決定し、外部ネットワークＮＷを介して通信機器２２から浴室リモコン１２に通話停止信号を送信する。
【００５４】
一方、監視者は、入浴者からの回答が納得できない場合には、浴室リモコン１２との通話可能状態を維持し（ＳＴＥＰ６で「ＮＯ」）、再び入浴者と会話する。
【００５５】
また、通信機器２２に異常信号が送信されていない状態（ＳＴＥＰ２で「ＮＯ」）では、監視者は、通話要求を行わない（ＳＴＥＰ４で「ＮＯ」）ため、ＳＴＥＰ８が行われる。
【００５６】
制御装置２０は、湯はりが完了したか否かを判定する（ＳＴＥＰ８）。湯はりが完了した場合（ＳＴＥＰ８で「ＹＥＳ」）、制御装置２０は、湯はり完了信号を浴室リモコン１２に送信し、浴室リモコン１２のマイコン３５は、湯はり完了信号の受信に応じて、スピーカ３３から湯はりが完了した旨を示す音声（例えば、「湯はりが完了しました」）を出力させ、浴室リモコン１２の表示部に湯はりが完了した旨を示すコメント（例えば、「湯はりが完了しました」）を表示させる（ＳＴＥＰ９）。
【００５７】
一方、湯はりが完了していない場合（ＳＴＥＰ８で「ＮＯ」）、再びＳＴＥＰ２を行う。
【００５８】
このように、風呂設定温度が異常である場合でも、監視者は、浴室ＢＲにいる入浴者と会話することができるので、風呂設定温度が高温であることを入浴者に伝え、風呂設定温度を下げさせることができる。これにより、意図せずに風呂設定温度が４５°Cを超える高温になるのを防止することができる。
【００５９】
例えば、認知症の入浴者は、意図せずに風呂設定温度を４５°Ｃを越える高温にしてしまうことがある。本実施形態では、認知症の入浴者が意図せずに風呂設定温度を４５°Ｃを越える高温にしてしまった場合でも、監視者と入浴者とが会話することができるので、風呂設定温度を適正な温度に再設定させることができる。これにより、安全性を確保することができる。
【００６０】
［第２実施形態］
図４に示す第２実施形態では、入浴者が入浴しているか否かを判定して、その判定結果に基づいて制御を行う。
【００６１】
図４に示すように、監視者は、通信機器２２を操作して、外部ネットワークＮＷを介して台所リモコン１３に、入浴監視開始信号を送信する。台所リモコン１３は、受信した入浴監視開始信号を浴室リモコン１２に送信する。浴室リモコン１２のマイコン３５は、入浴監視開始信号を受信したこと（ＳＴＥＰ１１）に応じて、入浴者が入浴状態であるか否かを判定する（ＳＴＥＰ１２）。ＳＴＥＰ１２では、マイコン３５は、水位センサ１８からの水位情報が所定量以上増加した場合に、入浴者が入浴状態であると判定する。本実施形態では、入浴判定手段は、マイコン３５から構成されている。なお、赤外線センサ等を用いて、入浴判定を行うようにしてもよい。
【００６２】
マイコン３５は、入浴者が入浴状態であると判定した場合（ＳＴＥＰ１２で「ＹＥＳ」）、外部ネットワークＮＷを介して監視者の通信機器２２に、入浴者が入浴していることを示す入浴信号を送信する（ＳＴＥＰ１３）。
【００６３】
通信機器２２では、受信した入浴信号に応じて、入浴者が入浴していることを示すコメント（例えば、「入浴者は入浴中です」）を表示部２２aに表示する。これにより、監視者は、入浴者が入浴していることを知ることができる。
【００６４】
一方、入浴者が入浴状態ではないと判定した場合（ＳＴＥＰ１２で「ＮＯ」）、後述するＳＴＥＰ２０を行う。
【００６５】
マイコン３５は、温度センサ１９からの温度情報（検出湯温）が、例えば１５°Ｃを超えて４６°Ｃ未満であるか否かを判定する（ＳＴＥＰ１４）
【００６６】
マイコン３５は、検出湯温が１５°Ｃを超えて４６°Ｃ未満ではないと判定した場合（ＳＴＥＰ１４で「ＮＯ」）、外部ネットワークＮＷを介して監視者の通信機器２２に異常信号を送信する（ＳＴＥＰ１５）。
【００６７】
通信機器２２では、受信した異常信号に応じて、検出湯温が異常であることを示すコメント（例えば、「検出湯温が異常です」）を表示部２２aに表示する。これにより、監視者は、検出湯温が異常であることを知ることができる。
【００６８】
一方、マイコン３５は、検出湯温が１５°Ｃを超えて４６°Ｃ未満であると判定した場合（ＳＴＥＰ１４で「ＹＥＳ」）、後述するＳＴＥＰ１６を行う。
【００６９】
以下のＳＴＥＰ１６〜ＳＴＥＰ１９は、第１実施形態のＳＴＥＰ４〜ＳＴＥＰ７と同じであるため、説明を簡略化する。
【００７０】
監視者と、浴室ＢＲにいる入浴者とが通話可能となると、例えば、監視者は、検出湯温が異常（１５°Ｃ以下、又は４６°Ｃ以上）であることを入浴者に伝える。これに対し、入浴者から、間違って設定してしまったと回答があった場合には、入浴者に、検出湯温が１５°Ｃを超えて４６°Ｃ未満となるように再設定するように伝える。
【００７１】
そして、監視者は、浴室リモコン１２と通話不能状態にすることを決定し、外部ネットワークＮＷを介して通信機器２２から浴室リモコン１２に通話停止信号を送信する。
【００７２】
浴室リモコン１２は、通話停止信号を受信する（ＳＴＥＰ１８で「ＹＥＳ」）と、通信機器２２と通話不能状態になる（ＳＴＥＰ１９）。
【００７３】
また、監視者は、通話可能状態で、入浴者から、意図的に検出湯温が高温になるように設定しているという回答があった場合には、その意図が納得できるものであった場合、その旨を入浴者に伝える。そして、監視者は、浴室リモコン１２と通話不能状態にすることを決定し、外部ネットワークＮＷを介して通信機器２２から浴室リモコン１２に通話停止信号を送信する。
【００７４】
一方、監視者は、入浴者からの回答が納得できない場合には、浴室リモコン１２との通話可能状態を維持し（ＳＴＥＰ１８で「ＮＯ」）、再び入浴者と会話する。
【００７５】
また、通信機器２２に異常信号が送信されていない状態（ＳＴＥＰ１４で「ＹＥＳ」）では、監視者は、通話要求を行わない（ＳＴＥＰ１６で「ＮＯ」）ため、ＳＴＥＰ２０が行われる。
【００７６】
マイコン３５は、入浴者が浴槽ＢＴから出たか否かを判定する（ＳＴＥＰ２０）。ＳＴＥＰ２０では、マイコン３５は、水位センサ１８からの水位情報が所定量以上減少した場合に、入浴者が浴槽ＢＴから出たと判定する。
【００７７】
制御装置２０は、入浴者が浴槽ＢＴから出たと判定した場合（ＳＴＥＰ２０で「ＹＥＳ」）、外部ネットワークＮＷを介して監視者の通信機器２２に、入浴者が浴槽ＢＴから出たことを示す出槽信号を送信する（ＳＴＥＰ２１）。
【００７８】
通信機器２２では、受信した出槽信号に応じて、入浴者が浴槽ＢＴから出たことを示すコメント（例えば、「入浴者は浴槽から出ました」）を表示部２２aに表示する。これにより、監視者は、入浴者が浴槽ＢＴから出たことを知ることができる。
【００７９】
監視者は、外部ネットワークＮＷを介して通信機器２２から台所リモコン１３に、入浴監視停止信号を送信するか否かを決定する。
【００８０】
監視者が、通信機器２２を操作して入浴監視停止信号を送信することを決定すると、外部ネットワークＮＷを介して通信機器２２から浴室リモコン１２に入浴監視停止信号を送信する。
【００８１】
マイコン３５は、入浴監視停止信号を受信する（ＳＴＥＰ２２で「ＹＥＳ」）と、入浴者の入浴状態の監視を停止して、処理を終了する。
【００８２】
一方、入浴監視停止信号を受信していない場合（ＳＴＥＰ２２で「ＮＯ」）、再びＳＴＥＰ１４を行う。
【００８３】
このように、検出湯温が１５°Ｃを超えて４６°Ｃ未満ではない場合、監視者は、浴室ＢＲにいる入浴者と会話することができるので、検出湯温が異常であることを入浴者に伝え、検出湯温が１５°Ｃを超えて４６°Ｃ未満となるように再設定させることができる。これにより、意図せずに検出湯温が異常値になるのを防止することができる。
【００８４】
［第３実施形態］
図５に示す第３実施形態では、入浴者が入浴する際の湯温を予測して、その予測湯温に基づいて制御を行う。
【００８５】
第３実施形態では、浴室リモコン１２のマイコン３５は、風呂設定温度から、入浴者が入浴状態であると判定した時点での検出湯温を減算した減算値を算出し、メモリ（図示せず）に記憶する。さらに、マイコン３５は、所定期間（例えば、過去３０日間）の減算値の平均（平均減算値）を算出し、メモリに記憶する。本実施形態では、減算値算出手段及び平均減算値算出手段は、マイコン３５から構成されている。
【００８６】
図５に示すように、入浴者が浴室リモコン１２又は台所リモコン１３を操作して、風呂設定温度での湯はり運転の実行を指示すると、熱源機１１の制御装置２０に運転指示情報が送信され、制御装置２０は、運転指示情報に応じて、熱源機１１の作動制御を行い、風呂設定温度での湯はり運転を実行させる（ＳＴＥＰ３１）。
【００８７】
浴室リモコン１２のマイコン３５は、風呂設定温度から、メモリに記憶された平均減算値を減算した予測湯温が、所定温度（例えば、４５°C）を超えているか否かを判定する（ＳＴＥＰ３２）。
【００８８】
以下のＳＴＥＰ３３〜ＳＴＥＰ３９は、第１実施形態のＳＴＥＰ３〜ＳＴＥＰ９と同じであるため、その詳細な説明を省略する。
【００８９】
また、マイコン３５は、風呂設定温度の情報と、風呂設定温度での湯はりを開始してから、入浴者が入浴するまでの経過時間の情報とを、外部ネットワークＮＷを介して監視者の通信機器２２に送信する。これにより、監視者は、入浴者の入浴状況を把握することができる。
【００９０】
実際に入浴する時間の例えば２時間前に湯はりを行うのが通常動作の場合には、風呂設定温度での湯はり運転が開始されてから実際に入浴するまでに、例えば、２°Ｃ程度は湯温が下がる。第３実施形態では、予測湯温に基づいて、風呂設定温度が異常であるか否かを判定するので、風呂設定温度が４５°Ｃを超えていても（例えば、４６°Ｃ）、予測温度が４５°Ｃ以下である場合（例えば、４４°Ｃ）には、異常ではないと判定することができる。これにより、実際に入浴する際の湯温が異常でない場合に異常と判定する誤判定を抑制することができる。
【００９１】
なお、上記第１〜第３実施形態では、風呂運転としての湯はりを行う場合に本発明を実施しているが、風呂運転としての追い焚きを行う場合に本発明を実施してもよい。
【符号の説明】
【００９２】
２…風呂システム、３…風呂給湯装置、１１…熱源機、１２…浴室リモコン（通信部）、１３…台所リモコン（通信部）、１８…水位センサ、１９…温度センサ（湯温検出手段）、２０…制御装置、２２…通信機器（外部通信機器）、３１…リモコン用制御基板、３２…マイク（通話手段）、３３…スピーカ（通話手段）、３４…操作部、３５…マイコン（浴槽温度判定手段）（制御手段）（入浴判定手段）（減算値算出手段）（平均減算値算出手段）、３６…インターホン回路（通話手段）、ＢＲ…浴室、ＢＴ…浴槽。
【図１】
2019015416.tif 000003
【図２】
2019015416.tif 000004
【図３】
2019015416.tif 000005
【図４】
2019015416.tif 000006
【図５】
2019015416.tif 000007